(57)【要約】【課題】雄ねじ部を被打撃部側に設けた場合に、ハンマーで被打撃部を打撃したときに雄ねじ部のねじ山が潰れないようにしたドリフトピンを提供する。【解決手段】接続すべき鋼材３３、３３…同士の各々のボルト孔３４を同心上に整合するドリフトピン１１であって、該ドリフトピン１１は、ドリフトピン本体１２とカバー部材１３とから構成され、ドリフトピン本体１２は、長手方向先端側にテーパー部１４が形成され、該テーパー部１４の後端にフラット部１５が連設され、長手方向後端側に逆ネジに形成された雄ネジ部１６を有し、カバー部材１３は、筒形状に形成されて一端に開口部１８を有し、他端が閉塞して被打撃部１９が形成され、内周面１３ａの一部には雄ネジ部１６に螺合する雌ネジ部２０が形成されている。【選択図】図１
2014031803.tif 000002
【特許請求の範囲】
【請求項１】
接続すべき鋼材同士の各々のボルト孔を同心上に整合するドリフトピンであって、
該ドリフトピンは、ドリフトピン本体とカバー部材とから構成され、
前記ドリフトピン本体は、長手方向先端側にテーパー部が形成され、該テーパー部の後端にフラット部が連設され、長手方向後端側に逆ネジに形成された雄ネジ部を有し、
前記カバー部材は、筒形状に形成されて一端に開口部を有し、他端が閉塞して被打撃部が形成され、内周面の一部には前記雄ネジ部に螺合する雌ネジ部が形成されていること
を特徴とするドリフトピン。
【請求項２】
前記カバー部材の先端は、前記フラット部の後端との間にストッパー用の段差部を有すること
を特徴とする請求項１に記載のドリフトピン。
【請求項３】
接続すべき鋼材同士のボルト孔に圧入した前記請求項１に記載のドリフトピン本体を引き抜くための引抜き具であって、
該引抜き具は、連結部材と引抜き具本体とから構成され、
前記連結部材は、円柱状に形成されて外周面に逆ネジに形成された雄ネジ部を有し、一端側に所定深さの凹部が形成され、該凹部の内周面の一部に前記ドリフトピン本体の雄ネジ部と螺合する雌ネジ部が形成され、
前記引抜き具本体は、筒形状に形成された筒部の一端に大形ボルト部を有し、他端に小形ボルト部を有し、内周面の他端側には前記連結部材の雄ネジ部と螺合する雌ネジ部が形成されていること
を特徴とするドリフトピン本体の引抜き具。
【請求項４】
前記大形ボルト部と前記筒部とが回転自在に形成されていること
を特徴とする請求項１に記載のドリフトピン本体の引抜き具。
【発明の詳細な説明】
【技術分野】
【０００１】
本発明は、建築物構築や橋架工事等の鉄骨組立作業等において、接続すべき鋼材同士の各々のボルト孔を同心上に整合するドリフトピン、及び接続すべき鋼材同士のボルト孔に圧入したドリフトピン本体を引き抜くための引抜き具に関するものである。
【背景技術】
【０００２】
従来、この種のドリフトピンとしては、図１５に示す構成のものが知られている。このドリフトピン１は、先端部２と雄ねじ部３とテーパー部４とが一体に連設されており、後端にはゴム等の弾性部材からなる被打撃部５が形成されている（特許文献１参照）。
【０００３】
このような構成のドリフトピン１は、図１６に示すように、先端部２と雄ねじ部３とを接続すべき鋼材６、６…同士のボルト孔７に挿通し、ハンマー８で被打撃部５を打撃することで、テーパー部４をボルト孔７に圧入して、鋼材６、６…同士のボルト孔７の位置ズレを修正して同心上に整合する。
【０００４】
一方、ボルト孔７に圧入したドリフトピン１を引き抜くときには、図１７に示すように、雄ねじ部３に対して引抜きレンチ等の駆動部９を螺着して回転駆動させて、ドリフトピン１を機械的に引き抜くのである。
【先行技術文献】
【特許文献】
【０００５】
【特許文献１】実用新案登録第３０９９６７７号公報
【発明の概要】
【発明が解決しようとする課題】
【０００６】
この従来例のドリフトピン１においては、雄ねじ部３が先端部２側に設けられているので、ドリフトピン１を引き抜くときに、ボルト孔７の挿入側Ａとは反対側の突出側Ｂの方向へ引き抜くことになる（図１７参照）。
【０００７】
この場合、例えば原子力発電所の原発事故現場においては、漏れ出した放射能の影響で、突出側Ｂへ作業者が回り込めないというような特殊な事情が生じることがあり、このような事態では、ドリフトピン１が引き抜けないという問題点を有する。
【０００８】
仮に、雄ねじ部３を被打撃部５側に設けて、ドリフトピン１をボルト孔７の挿入側Ａに引き抜けるようにするならば、ハンマー８で被打撃部５を打撃したときに、雄ねじ部３に当たってねじ山が潰れるおそれがあるという問題が発生する。
【０００９】
従って、従来例におけるドリフトピン１においては、ボルト孔７の挿入側Ａに引き抜けるようにすることと、雄ねじ部３を被打撃部５側に設けた場合に、ハンマー８での打撃時に、ねじ山が潰れないようにすることとに解決しなければならない課題を有している。
【課題を解決するための手段】
【００１０】
前記従来例の課題を解決するための本発明の要旨は、接続すべき鋼材同士の各々のボルト孔を同心上に整合するドリフトピンであって、該ドリフトピンは、ドリフトピン本体とカバー部材とから構成され、前記ドリフトピン本体は、長手方向先端側にテーパー部が形成され、該テーパー部の後端にフラット部が連設され、長手方向後端側に逆ネジに形成された雄ネジ部を有し、前記カバー部材は、筒形状に形成されて一端に開口部を有し、他端が閉塞して被打撃部が形成され、内周面の一部には前記雄ネジ部に螺合する雌ネジ部が形成されていることである。
【００１１】
また、前記カバー部材の先端は、前記フラット部の後端との間にストッパー用の段差部を有する構成としたものである。
【００１２】
更に、本発明の要旨は、接続すべき鋼材同士のボルト孔に圧入した前記請求項１に記載のドリフトピン本体を引き抜くための引抜き具であって、該引抜き具は、連結部材と引抜き具本体とから構成され、前記連結部材は、円柱状に形成されて外周面に逆ネジに形成された雄ネジ部を有し、一端側に所定深さの凹部が形成され、該凹部の内周面の一部に前記ドリフトピン本体の雄ネジ部と螺合する雌ネジ部が形成され、前記引抜き具本体は、筒形状に形成された筒部の一端に大形ボルト部を有し、他端に小形ボルト部を有し、内周面の他端側には前記連結部材の雄ネジ部と螺合する雌ネジ部が形成されていることである。
【００１３】
また、前記大形ボルト部と前記筒部とが回転自在に形成されている構成としたものである。
【発明の効果】
【００１４】
本発明に係るドリフトピンによれば、ドリフトピン本体の長手方向後端側に逆ネジに形成された雄ネジ部を有し、この雄ネジ部に対してカバー部材を螺合するので、ハンマーで被打撃部を打撃したときに、雄ネジ部がカバーされており、ハンマーがねじ山に当たって潰れることがないという優れた効果を奏する。
【００１５】
また、カバー部材の先端は、前記フラット部の後端との間にストッパー用の段差部を有することによって、ハンマーで被打撃部を打撃したときに、段差部がボルト孔の縁部に引っ掛かるので、ドリフトピンがボルト孔の反対側に抜け落ちることがないという優れた効果を奏する。
【００１６】
更に、本発明に係るドリフトピン本体の引抜き具によれば、鋼材同士のボルト孔に圧入したドリフトピン本体の雄ネジ部に対して、連結部材の雌ネジ部を螺合し、当該連結部材の雄ネジ部に対して引抜き具本体の雌ネジ部を螺合して、当該引抜き具本体の小形ボルト部に引抜きレンチのソケットを嵌合して回転駆動させることによって、連結部材がボルト孔の挿入側に移動して、ドリフトピン本体をボルト孔の挿入側に引き抜くことができるという優れた効果を奏する。
【００１７】
また、大形ボルト部と前記筒部とが回転自在に形成されていることによって、引抜き具本体を引抜きレンチで回転させたときに、筒部をスムーズに回転させることができるという優れた効果を奏する。
【図面の簡単な説明】
【００１８】
【図１】本発明に係るドリフトピン１１の斜視図である。
【図２】ドリフトピン本体１２の斜視図である。
【図３】カバー部材１３の斜視図である。
【図４】カバー部材１３の線断面図である。
【図５】本発明に係るドリフトピン本体の引抜き具２２の斜視図である。
【図６】連結部材２３の斜視図である。
【図７】連結部材２３の断面図である。
【図８】引抜き具本体２４の斜視図である。
【図９】引抜き具本体２４の断面図である。
【図１０】引抜き具本体２４の一部を破断して示した正面図である。
【図１１】ドリフトピン１１の使用状態を示す説明図である。
【図１２】ドリフトピン本体の引抜き具２２の使用状態を示す説明図である。
【図１３】ドリフトピン本体の引抜き具２２の使用状態を示す説明図である。
【図１４】ドリフトピン本体の引抜き具２２の使用状態を示す説明図である。
【図１５】従来例に係るドリフトピン１の正面図である。
【図１６】従来例に係るドリフトピン１をボルト孔７に圧入する状態を説明する説明図である。
【図１７】従来例に係るドリフトピン１をボルト孔７から引き抜く状態を説明する説明図である。
【発明を実施するための形態】
【００１９】
次に、本発明の実施の形態について図面を参照しながら説明する。まず、図１において、符号１１はドリフトピンを示し、このドリフトピン１１は、ドリフトピン本体１２とカバー部材１３とから構成される。
【００２０】
ドリフトピン本体１２は、図２に示すように、長手方向先端側に、先端へ行くに連れて次第に細くなるテーパー部１４が形成され、テーパー部１４の後端にフラット部１５が連設されている。また、ドリフトピン本体１２の長手方向後端側には、逆ネジに形成された雄ネジ部１６を有し、雄ネジ部１６の先端がフラット部１５の後端に連設されている。雄ネジ部１６とフラット部１５との連設部分には段部１７を有する。
【００２１】
カバー部材１３は、図３及び図４に示すように、筒形状に形成されて一端に開口部１８を有し、他端が閉塞して被打撃部１９が形成されている。また、内周面１３ａの一部には、前記逆ネジの雄ネジ部１６に螺合する逆ネジの雌ネジ部２０が形成されている。
【００２２】
また、ドリフトピン１１は、図１に示すように、カバー部材１３の先端にストッパー用の段差部２１を有する。この段差部２１の存在によって、ハンマー３５で被打撃部１９を打撃したときに、段差部２１がボルト孔３４の縁部３４ａに引っ掛かり、ドリフトピン１１がボルト孔３４の反対側に抜け落ちることがない（図１１参照）。
【００２３】
次に、図５にドリフトピン本体の引抜き具２２を示す。このドリフトピン本体の引抜き具２２は、連結部材２３と引抜き具本体２４とから構成される。
【００２４】
連結部材２３は、図６及び図７に示すように、円柱状に形成されて、外周面に逆ネジに形成された雄ネジ部２５を有する。また、一端側に所定深さの凹部２６が形成され、凹部２６の内周面２６ａの一部に、ドリフトピン本体１２の逆ネジの雄ネジ部１６と螺合する逆ネジの雌ネジ部２７が形成されている。
【００２５】
引抜き具本体２４は、図８及び図９に示すように、筒形状に形成された筒部２８の一端に大形ボルト部２９を有し、他端に小形ボルト部３０を有する。また、内周面２４ａの他端側には、連結部材２３の逆ネジの雄ネジ部２５と螺合する逆ネジの雌ネジ部３１が形成されている。
【００２６】
また、ドリフトピン本体の引抜き具２２は、図１０に示すように、大形ボルト部２９と筒部２８との接続部分にベアリング３２が設けられており、大形ボルト部２９と筒部２８とが回転自在に形成されている。その結果、図１４に示すように、小形ボルト部３０に引抜きレンチのソケット（図示せず）を嵌合して回転駆動させたときに、筒部２８がスムーズに回転して、ドリフトピン本体１２を容易に引き抜くことができる。
【００２７】
次に、以上のように構成されたドリフトピン１１を用いて、接続すべき鋼材３３、３３…同士の各々のボルト孔３４の位置ズレを修正して同心上に整合する方法について説明する。
【００２８】
まず、図１１に示すように、ドリフトピン１１のテーパー部１４を接続すべき鋼材３３、３３…同士のボルト孔３４に挿通してから、ハンマー３５で被打撃部１９を打撃する。テーパー部１４は、ボルト孔３４に圧入して、鋼材３３、３３…同士のボルト孔３４を同心上に整合する。
【００２９】
このとき、雄ネジ部１６はカバー部材１３でカバーされているので、ハンマー３５で被打撃部１９を打撃した際に、雄ネジ部１６のねじ山にハンマー３５が当たって潰れることがない。
【００３０】
また、ドリフトピン１１は、段差部２１を有するので、ハンマー３５で被打撃部１９を打撃したときに、段差部２１がボルト孔３４の縁部３４ａに引っ掛かって、ドリフトピン１１がボルト孔３４の反対側に抜け落ちることがない。
【００３１】
次に、ドリフトピン本体の引抜き具２２を用いて、ボルト孔３４に圧入したドリフトピン本体１２を引き抜く方法について説明する。
【００３２】
まず、図１２に示すように、ドリフトピン１１からカバー部材１３を回して取り外し、雄ネジ部１６を露出させる。次に、図１３に示すように、ドリフトピン本体１２の雄ネジ部１６に対して、連結部材２３の雌ネジ部２７を螺合する。
【００３３】
そして、連結部材２３の雄ネジ部２５に対して、図１４に示すように、引抜き具本体２４の雌ネジ部３１を螺合してから、当該引抜き具本体２４の小形ボルト部３０に、図示しない引抜きレンチのソケットを嵌合して回転駆動させる。
【００３４】
小形ボルト部３０の回転によって、雌ネジ部３１に螺合した連結部材２３が矢印Ｃ方向（ボルト孔３４の挿入側）に移動する。この連結部材２３の移動によって、雌ネジ部２７に螺合した雄ネジ部１６、即ちドリフトピン本体１２が矢印Ｄ方向（ボルト孔３４の挿入側）に移動するので、ドリフトピン本体１２をボルト孔３４の挿入側に引き抜くことができる。
【００３５】
また、大形ボルト部２９と筒部２８との接続部分にはベアリング３２が設けられて、大形ボルト部２９と筒部２８とが回転自在に形成されているので（図１０参照）、引抜き具本体２４を引抜きレンチで回転させたときには、大形ボルト部２９が鋼材３３を押圧する状態となる（矢印Ｅ参照）と共に大形ボルト部２９に対して小形ボルト部３０及び筒部２８がスムーズに回転する（矢印Ｆ参照）。
【符号の説明】
【００３６】
１    ドリフトピン
２    先端部
３    雄ねじ部
４    テーパー部
５    被打撃部
６    鋼材
７    ボルト孔
８    ハンマー
９    駆動部
１１  ドリフトピン
１２  ドリフトピン本体
１３  カバー部材
１３ａ  内周面
１４  テーパー部
１５  フラット部
１６  雄ネジ部
１７  段部
１８  開口部
１９  被打撃部
２０  雌ネジ部
２１  段差部
２２  ドリフトピン本体の引抜き具
２３  連結部材
２４  引抜き具本体
２４ａ  内周面
２５  雄ネジ部
２６  凹部
２６ａ  内周面
２７  雌ネジ部
２８  筒部
２９  大形ボルト部
３０  小形ボルト部
３１  雌ネジ部
３２  ベアリング
３３  鋼材
３４  ボルト孔
３４ａ  縁部
３５  ハンマー
【図１】
2014031803.tif 000003
【図２】
2014031803.tif 000004
【図３】
2014031803.tif 000005
【図４】
2014031803.tif 000006
【図５】
2014031803.tif 000007
【図６】
2014031803.tif 000008
【図７】
2014031803.tif 000009
【図８】
2014031803.tif 000010
【図９】
2014031803.tif 000011
【図１０】
2014031803.tif 000012
【図１１】
2014031803.tif 000013
【図１２】
2014031803.tif 000014
【図１３】
2014031803.tif 000015
【図１４】
2014031803.tif 000016
【図１５】
2014031803.tif 000017
【図１６】
2014031803.tif 000018
【図１７】
2014031803.tif 000019